(57)【要約】【課題】水稲直播栽培におけるイネ種子への鳥害を防止するイネ種子鳥害防止剤及びイネ種子鳥害防止方法を提供すること。【解決手段】酸化亜鉛を含有するイネ種子鳥害防止剤及びそれをイネ種子に付着させる工程を有するイネ種子鳥害防止方法。【選択図】なし【特許請求の範囲】
【請求項１】
酸化亜鉛を含有するイネ種子鳥害防止剤。
【請求項２】
酸化亜鉛の平均粒径が０．０１〜１００μｍである請求項１に記載のイネ種子鳥害防止剤。
【請求項３】
酸化亜鉛の含有量が０．１〜１００重量％である請求項１または２に記載のイネ種子鳥害防止剤。
【請求項４】
請求項１〜３のいずれか１項に記載のイネ種子鳥害防止剤をイネ種子に付着させる工程を有するイネ種子鳥害防止方法。
【発明の詳細な説明】
【技術分野】
【０００１】
本発明は、イネ種子鳥害防止剤及びイネ種子鳥害防止方法に関する。
【背景技術】
【０００２】
水稲直播栽培は、イネ種子を直接水田に播く栽培方法であり、育苗や移植作業が不要であるため農作業の省力化を図ることができる等の利点を有する一方、カモやスズメ等の鳥による食害（鳥害）を受け易いという欠点も有している。鳥害による苗立ち率の低下は減収につながるため、鳥害回避策が切望されてきた。従来の鳥害回避策としては、例えば、水管理により鳥害を防止する方法が提案されているが、鳥の種類に応じて管理方法を変更する必要がある（例えば、非特許文献１参照）。
【先行技術文献】
【非特許文献】
【０００３】
【非特許文献１】酒井長雄、外３名、「水稲湛水直播栽培における耕種的鳥害防止対策」、北陸作物学会報（Ｔｈｅ  Ｈｏｋｕｒｉｋｕ  Ｃｒｏｐ  Ｓｃｉｅｎｃｅ）、日本作物学会、１９９９年３月３１日、第３４巻、ｐ．５９−６１
【発明の概要】
【発明が解決しようとする課題】
【０００４】
本発明は、水稲直播栽培におけるイネ種子への鳥害を防止するイネ種子鳥害防止剤及びイネ種子鳥害防止方法を提供することを課題とする。
【課題を解決するための手段】
【０００５】
本発明者等は、このような課題を解決すべく検討した結果、酸化亜鉛をイネ種子に付着させ、これを直接水田に播くと、イネ種子への鳥害を防止することができることを見出した。
すなわち、本発明は以下の通りである。
［１］  酸化亜鉛を含有するイネ種子鳥害防止剤。
［２］  酸化亜鉛の平均粒径が０．０１〜１００μｍである［１］に記載のイネ種子鳥害防止剤。
［３］  酸化亜鉛の含有量が０．１〜１００重量％である［１］または［２］に記載のイネ種子鳥害防止剤。
［４］  ［１］〜［３］のいずれか１項に記載のイネ種子鳥害防止剤をイネ種子に付着させる工程を有するイネ種子鳥害防止方法。
【発明の効果】
【０００６】
本発明により、イネ種子への鳥害を防止することができる。
【図面の簡単な説明】
【０００７】
【図１】実施例においてイネ種子のコーティングに用いた簡易種子コーティングマシンについて説明するための説明図である。
【発明を実施するための形態】
【０００８】
本発明のイネ種子鳥害防止剤（以下、本防止剤と記す）は、酸化亜鉛を含有することを特徴とする。
【０００９】
本発明においてイネ種子とは、イネとして一般的に栽培されている品種の種子を指す。該品種としては、ジャポニカ種やインディカ種等が挙げられるが、耐倒伏性や発芽性の高い品種が好ましい。
【００１０】
本発明において酸化亜鉛とは、ＺｎＯで示される化合物を指し、市販されている酸化亜鉛を用いることができる。市販されている酸化亜鉛としては、例えば酸化亜鉛  ３Ｎ５（関東化学株式会社製）及び酸化亜鉛一種（日本化学工業株式会社製）が挙げられる。本発明においては、純度が９９％以上（該酸化亜鉛に対する重量％）である酸化亜鉛の使用が好ましい。酸化亜鉛の純度は、日本工業規格（ＪＩＳ）Ｋ１４１０に規定される試験方法により求められる。また、通常は粉状の酸化亜鉛を用い、該酸化亜鉛の平均粒径は、０．０１〜１００μｍ、好ましくは０．１〜５０μｍ、より好ましくは０．１〜１０μｍの範囲である。本発明において酸化亜鉛の平均粒径とは、レーザー回折・散乱式の粒度分布測定装置で測定される粒径であり、体積基準頻度分布において累積頻度で５０％となる粒径を指す。酸化亜鉛の平均粒径は、レーザー回折・散乱式の粒度分布測定装置として、マスターサイザー２０００（Ｍａｌｖｅｒｎ製）を用い、水中に酸化亜鉛の粒子を分散させて測定する方法所謂湿式測定により求めることができる。
【００１１】
本防止剤は、酸化亜鉛のみから構成されていてもよく、結合剤、界面活性剤及び担体等のその他の成分を含有していてもよい。かかる結合剤としては、例えば、アクリル樹脂、酢酸ビニル樹脂、ウレタン樹脂及びブタジエン共重合体等の合成樹脂、ポリビニルアルコール及びポリビニルピロリドン等の水溶性合成高分子、アルファー澱粉等の天然物由来の高分子が挙げられる。
本防止剤における酸化亜鉛の含有量は、通常０．１〜１００重量％、好ましくは１〜１００重量％である。本防止剤が酸化亜鉛のみからなる場合、本防止剤における酸化亜鉛の含有量は１００重量％である。
【００１２】
本防止剤は、イネ種子への鳥害を防止するために、イネ種子に付着させて用いられる。本発明のイネ種子鳥害防止方法（以下、本防止方法と記す）は、本防止剤をイネ種子に付着させる工程を有する。該工程は、鉄コーティング等の公知のコーティング方法に準じて実施することができる。具体的には、イネ種子を転動させながら、本防止剤、必要に応じ結合剤及び水を添加することにより、本防止剤をイネ種子に付着させることができる。本防止剤が、酸化亜鉛のみから構成されている場合は、結合剤を用いて酸化亜鉛をイネ種子に付着させる。イネ種子を転動させる装置としては、コーティングマシン等の公知のコーティング方法において用いられる装置を用いることができる。
本防止方法における本防止剤の添加量は、酸化亜鉛の重量として、イネ種子１０ｋｇあたり、通常０．００５〜７ｋｇ、好ましくは０．０５〜７ｋｇ、さらに好ましくは０．０５〜１．５ｋｇである。
【００１３】
前記工程を実施した後、前記工程で得られたイネ種子を直接水田に播く工程を実施する。本発明において水田とは、湛水された水田及び落水された水田のいずれかを指す。該工程は、具体的には、「鉄コーティング湛水直播マニュアル  ２０１０」（山内稔、独立行政法人農業・食品産業技術総合研究機構  近畿中国四国農業研究センター、２０１０年３月、非特許文献１）に記載の方法に準じて実施する。その際、鉄まきちゃん（株式会社クボタ製）等の鉄コーティング用直播機を用いてもよい。播種後は、通常の栽培条件に保つことによりイネを生育させることができる。
また、播種前、播種と同時または播種後に農薬及び肥料を施用してもよい。かかる農薬としては殺菌剤、殺虫剤及び除草剤等が挙げられる。
【００１４】
本発明により、水稲直播栽培における鳥害を防止することができる。水稲直播栽培においてイネ種子を食害する鳥としては、スズメ、カモ、カラス及びハト等が挙げられる。
【実施例】
【００１５】
本発明を実施例により更に詳細に説明する。
【００１６】
まず、製造例を示す。
【００１７】
以下の製造例においては、特に断りのない限り、イネ種子はヒノヒカリの種子を用い、製造は室温下（約２０℃）にて実施した。また、％は、重量％を表す。
製造例に記載された商品名は以下の通りである。
酸化亜鉛３Ｎ５：酸化亜鉛、関東化学株式会社製、平均粒径；７．７μｍ
酸化亜鉛一種：酸化亜鉛、日本化学工業株式会社製、平均粒径；０．２６μｍ
酸化亜鉛二種：酸化亜鉛、日本化学工業株式会社製、平均粒径；０．２４μｍ
炭酸カルシウムＧ−１００：炭酸カルシウム、三共精粉株式会社製
スーパーフレックス５００Ｍ：ウレタン樹脂、合成樹脂含量；４５％、第一工業製薬株式会社製
Ｍｏｗｉｎｙｌ−Ｐｏｗｄｅｒ  ＬＤＭ７０００Ｐ：アクリル樹脂、合成樹脂含量；８５％、日本合成化学工業株式会社製
クラレポバール  ＰＶＡ２２０Ｓ：ポリビニルアルコール、けん化度：８７．０〜８９．０ｍｏｌ％、重合度２０００、株式会社クラレ製
ベントナイト穂高：モンモリロナイト、株式会社ホージュン製
アミコールＷ：アルファー澱粉、日澱化學株式会社製
ソルポール５０８０：ポリオキシエチレントリスチリルフェニルエーテル、東邦化学工業株式会社製
【００１８】
製造例１
まず、用いるイネ種子が少量の場合にコーティング可能な簡易種子コーティングマシンを作製した。図１に示すように、シャフト１の先に５００ｍＬ容量のポリエチレン製カップ２を取りつけ、それを攪拌機３（スリーワンモータ、新東科学株式会社製）のドライブシャフトに挿入し、仰角が４５度になるように攪拌機３を斜めにしてスタンド４に取りつけることにより、簡易種子コーティングマシンを作製した。
スーパーフレックス５００Ｍ  ０．２２ｇ及び水０．１９ｇを混合してスーパーフレックス５００Ｍ水希釈液０．４１ｇを得た。
２００ｍＬ容量のポリエチレン製カップに水を１００ｍＬ程度入れ、そこへ乾燥イネ種子２０ｇを投入し、１０分間浸種した。その後、イネ種子を水中から取り出し、表面の過剰な水分を除去した後、作製した簡易種子コーティングマシンに取りつけられたポリエチレン製カップ２に投入した。簡易種子コーティングマシンを攪拌機３の回転数１３０〜１４０ｒｐｍの範囲で作動させてイネ種子を転動状態にし、イネ種子にスーパーフレックス５００Ｍ水希釈液０．４１ｇ及び酸化亜鉛一種１．０ｇを添加することにより、酸化亜鉛をイネ種子に付着させた。次いで、簡易種子コーティングマシンを作動させたままにしてイネ種子の転動状態を維持し、ソルポール５０８０  ０．１ｇを投入してコーティングした酸化亜鉛の表面に付着させた。簡易種子コーティングマシンから取り出したイネ種子をステンレス鋼製バットに重ならないよう広げ、一晩乾燥させることにより酸化亜鉛コーティングイネ種子（１）を得た。
【００１９】
製造例２
酸化亜鉛二種０．５ｇ、炭酸カルシウムＧ−１００  ９．５ｇ及びＭｏｗｉｎｙｌ−Ｐｏｗｄｅｒ  ＬＤＭ７０００Ｐ  ０．４ｇを混合して本防止剤（１）を得た。
以下の操作は製造例１に記載の方法に準じて行った。乾燥イネ種子２０ｇを浸種した後、簡易種子コーティングマシンを用いて転動状態にし、霧吹きで水をイネ種子に噴霧しながら本防止剤（１）１０．４ｇを添加し、イネ種子に付着させた。イネ種子に噴霧した水の全量は１．６ｇであった。次いで、簡易種子コーティングマシンを作動させたままにしてイネ種子の転動状態を維持し、ソルポール５０８０  ０．４ｇを投入してコーティングした酸化亜鉛の表面に付着させた。簡易種子コーティングマシンから取り出したイネ種子をステンレス鋼製バットに重ならないよう広げ、一晩乾燥させることにより酸化亜鉛コーティングイネ種子（２）を得た。
【００２０】
製造例３
酸化亜鉛３Ｎ５  ５．０ｇ、炭酸カルシウムＧ−１００  ５．０ｇ、クラレポバール  ＰＶＡ２２０Ｓ  ０．１ｇ及びベントナイト穂高０．２５ｇを混合して本防止剤（２）を得た。
以下の操作は製造例２に記載の方法に準じて行った。本防止剤（１）１０．４ｇに代えて本防止剤（２）１０．３５ｇを添加してイネ種子に付着させた。イネ種子に噴霧した水の全量は２．８ｇであった。次いで、ソルポール５０８０  ０．１ｇを、コーティングした酸化亜鉛の表面に付着させ、乾燥させることにより、酸化亜鉛コーティングイネ種子（３）を得た。
【００２１】
製造例４
酸化亜鉛二種  ２．５ｇ、炭酸カルシウムＧ−１００  ７．５ｇ及びアミコールＷ  ０．４ｇを混合して本防止剤（３）を得た。
以下の操作は製造例２に記載の方法に準じて行った。本防止剤（１）に代えて本防止剤（３）を添加してイネ種子に付着させた。イネ種子に噴霧した水の全量は２．０ｇであった。次いで、乾燥させることにより、酸化亜鉛コーティングイネ種子（４）を得た。
【００２２】
次に、試験例を示す。
【００２３】
試験例１
プラスチックシャーレに土壌約３０ｇを入れて、水で湿らせた後、酸化亜鉛コーティングイネ種子５０粒を土壌表面に播いた。該プラスチックシャーレを屋外に静置し、タイムラプスカメラで撮影することにより該プラスチックシャーレの様子を観察するとともに、播種１日後に残存するイネ種子を計数し、以下の式より残存率を算出した。
残存率（％）＝播種１日後に残存するイネ種子数／５０×１００
結果を表１に示す。なお、表１においてイネ種子（対照）とは、何もコーティングされていないイネ種子を指し、該種子はスズメ等の鳥により食害されたため、残存率が０％であった。
【００２４】
【表１】
2017140020.tif 000002
【符号の説明】
【００２５】
１  シャフト
２  ポリエチレン製カップ
３  攪拌機
４  スタンド
【図１】
2017140020.tif 000003